(57)【要約】【課題】掘削・盛土情報管理装置において、運搬車両の運搬情報を施工管理サーバに取得させるための機器設備及びその操作を簡便にする。【解決手段】バックホウ１０に設けられ、運搬車両２０への積み込み作業開始と積み込み作業完了を入力する入力手段１１２ｅと、前記掘削機に設けられ、前記入力手段の入力状態に基づいて、前記運搬車両への積み込み作業完了を判別する判別手段と、この判別手段からの積み込み作業完了指令に基づいて、前記運搬車両２０に対する積み込み作業完了を知らせる信号と、盛土材料の運搬情報の施工管理サーバ３００への送信との処理を実行する情報処理装置１３０とを備えた。【選択図】図１
2008038354.tif 000002
【特許請求の範囲】
【請求項１】
掘削工区において掘削機により盛土材料を掘削し、その盛土材料を運搬車両に積み込んで盛土工区へと運搬し、前記運搬車両に積み込んだ盛土材料を前記盛土工区に荷卸して盛土作業を行う土工事における掘削・盛土情報管理装置において、前記掘削工区から送信される盛土材料の運搬情報を掘削・盛土情報の一部として蓄積して管理する施工管理サーバと、前記掘削機に設けられ、前記運搬車両への積み込み作業開始と積み込み作業完了を入力する入力手段と、前記掘削機に設けられ、前記入力手段の入力状態に基づいて、前記運搬車両への積み込み作業完了を判別する判別手段と、この判別手段からの積み込み作業完了指令に基づいて、前記運搬車両に対する積み込み作業完了を知らせる信号と、前記盛土材料の運搬情報の前記施工管理サーバへの送信との処理を実行する情報処理装置とを備えたことを特徴とする掘削・盛土情報管理装置。
【請求項２】
請求項１記載の掘削・盛土情報管理装置において、前記情報処理装置は、前記判別手段からの積み込み作業完了指令に基づいて、予め記憶部に記憶した前記運搬車両に対する積み込み作業完了の合図を出力するとともに、前記盛土材料の運搬情報を取り込み、これを前記施工管理サーバに送信処理する演算部を備えたことを特徴とする掘削・盛土情報管理装置。
【請求項３】
請求項１または２に記載の掘削・盛土情報管理装置において、前記判別手段は、前記入力手段の操作回数または操作時間に基づいて前記運搬車両への積み込み作業完了を判別することを特徴とする掘削・盛土情報管理装置。
【請求項４】
請求項１乃至３のいずれかに記載の掘削・盛土情報管理装置において、前記入力手段は、前記情報処理装置に接続するタッチパネルであることを特徴とする掘削・盛土情報管理装置。
【請求項５】
請求項１乃至３のいずれかに記載の掘削・盛土情報管理装置において、前記入力手段は、前記掘削機に予め設けられているホーンスイッチを用いたことを特徴とする掘削・盛土情報管理装置。
【発明の詳細な説明】
【技術分野】
【０００１】
本発明は、掘削機により盛土材料を掘削し、その盛土材料を運搬車両に積み込んで運搬し、盛土箇所に荷卸しする土工事における掘削・盛土管理情報管理装置に関する。
【背景技術】
【０００２】
運搬車両の運搬情報を管理するシステムとして、特許文献１に記載の盛土管理システムがある。このシステムは、運搬車両に情報伝達手段を取り付け、盛土側の入場ゲートにその情報伝達手段に記憶された情報を非接触で読み取る読み取り手段を設置して、運搬車両が入場ゲートを通過するときに、切り土側管理事務所で、記憶した車両情報や土砂情報等の運搬情報を読み取らせ、この読み取り情報に基づいて運搬車両の行き先を判定し、この判定結果を行き先表示装置に表示させるようにしたものであり、これにより運搬車両による渋滞の解消を図るとともに、それらの情報を用いて掘削・盛土管理を行うことができる。
【０００３】
【特許文献１】特開２０００−３１９８８６号公報
【発明の開示】
【発明が解決しようとする課題】
【０００４】
土工事における掘削・盛土情報を施工管理サーバで一元管理する場合、上記従来技術のように、盛り土側に、運搬車両（ダンプトラック）によって搬入される土砂の運搬情報（運搬車両の番号、土砂の種別等）を施工管理サーバで把握することも必要であるが、切り土側での土砂の運搬情報（運搬車両の番号、土砂の種別等）をも管理する必要がある。即ち、
掘削工区内での土砂掘削量及びその搬出量は、掘削工区での生産性に繋がるが、この掘削工区での生産性は、盛土箇所側での施工作業の進捗状況に直接的に影響を与えることになる。また、掘削工区内で土砂が積み込まれた運搬車両は、その積み込み作業終了後、直ちに盛土箇所側に帰還させることが、盛土箇所側での施工作業の遅延を改善することに繋がる。
【０００５】
そこで、掘削工区内に位置する掘削機側で、運搬車両（ダンプトラック）によって搬出される土砂の運搬情報（運搬車両の番号、土砂の種別等）を入力し、この土砂の運搬情報を施工管理サーバに送信することが有効であるが、その場合、掘削機側では、運搬車両（ダンプトラック）への積み込み作業開始および積み込み完了を、運搬車両の操作者に知らせるための入力手段の他に、前述した土砂の運搬情報を施工管理サーバに送信する機器が必要になり、操作ステップが増加してしまうという問題があった。
【０００６】
本発明は、上述の事柄に基づき、掘削機により盛土材料を掘削し、その盛土材料を運搬車両に積み込んで運搬し、盛土箇所に荷卸しする土工事における掘削工区側での生産性を向上させるとともに、盛り土側に関連する土砂の運搬情報を簡便に施工管理部署に確実に伝送することができる掘削・盛土情報管理装置を提供することを目的とする。
【課題を解決するための手段】
【０００７】
上記の目的を達成するために、第１の発明は、掘削工区において掘削機により盛土材料を掘削し、その盛土材料を運搬車両に積み込んで盛土工区へと運搬し、前記運搬車両に積み込んだ盛土材料を前記盛土工区に荷卸して盛土作業を行う土工事における掘削・盛土情報管理装置において、前記掘削工区から送信される盛土材料の運搬情報を掘削・盛土情報の一部として蓄積して管理する施工管理サーバと、前記掘削機に設けられ、前記運搬車両への積み込み作業開始と積み込み作業完了を入力する入力手段と、前記掘削機に設けられ、前記入力手段の入力状態に基づいて、前記運搬車両への積み込み作業完了を判別する判別手段と、この判別手段からの積み込み作業完了指令に基づいて、前記運搬車両に対する積み込み作業完了を知らせる信号と、前記盛土材料の運搬情報の前記施工管理サーバへの送信との処理を実行する情報処理装置とを備えたことを特徴とする。
【０００８】
また、第２の発明は、第１の発明において、前記情報処理装置は、前記判別手段からの積み込み作業完了指令に基づいて、予め記憶部に記憶した前記運搬車両に対する積み込み作業完了の合図を出力するとともに、前記盛土材料の運搬情報を取り込み、これを前記施工管理サーバに送信処理する演算部を備えたことを特徴とする。
【０００９】
さらに、第３の発明は、第１又は第２の発明において、前記判別手段は、前記入力手段の操作回数または操作時間に基づいて前記運搬車両への積み込み作業完了を判別することを特徴とする。
【００１０】
また、第４の発明は、第１乃至第３の発明のいずれかにおいて、前記入力手段は、前記情報処理装置に接続するタッチパネルであることを特徴とする。
【００１１】
さらに、第５の発明は、第１乃至第３の発明のいずれかにおいて、前記入力手段は、前記掘削機に予め設けられているホーンスイッチを用いたことを特徴とする。
【発明の効果】
【００１２】
本発明の掘削・盛土情報管理装置によれば、掘削機に設けた情報処理装置により、運搬車両に対する合図から運搬車両への積み込み作業終了を判定し、この作業終了に応動して運搬情報の施工管理サーバへの送信を同時に行うようにしたので、運搬車両の運搬情報を施工管理サーバに送信するための機器及びその操作を簡便にすることができる。
【発明を実施するための最良の形態】
【００１３】
以下、本発明の掘削・盛土情報管理装置の実施の形態を図面を用いて説明する。  
＜全体構成＞  
図１は、本発明の掘削・盛土情報管理装置の一実施の形態による掘削・盛土作業を行う土工事の全体概要を示す図である。  
図１において、掘削工区１には掘削機であるバックホウ１０が配備されている。バックホウ１０は盛土する材料（土砂）を掘削し、その掘削した土砂を運搬車両であるダンプトラック２０に積み込む。ダンプトラック２０は積み込んだ土砂を、盛土工区２まで運搬し、盛土箇所に荷下ろしする。盛土箇所に荷下ろしされた材料は、敷き均し機械であるブルドーザ３０により敷き均され、締め固め機械である振動ローラ４０により締め固められる。その後、バックホウ５０により法面整形を行い、地表面は所望の形状に仕上げられる。
【００１４】
本発明の掘削・盛土情報管理装置の一実施の形態は、このような土工事における掘削・盛土管理をするものであり、掘削工区１のバックホウ１０に搭載され、通信機能を有する制御システム１００（図２参照）と、盛土工区２においてダンプトラック２０の運転手又は盛土工区２の作業員が入力通信手段として使用する携帯電話２００と、遠隔地に設置された施工管理サーバ３００と、土工事作業現場の適所に設置された現場事務所ＰＣ４００とを備えている。
【００１５】
掘削工区１において、バックホウ１０に備えられる制御システム１００（図２参照）はＧＰＳ衛星５００からのＧＰＳ情報に基づいてバックホウ１０の位置を計測し、この位置情報を掘削位置の情報として通信衛星５２０を経由して施工管理サーバ３００に送信する。また、制御システム１００は、ダンプトラック２０に積み込んだ土砂の種類を盛土材料の種別の情報として、その盛土材料を積み込んだ運搬車両（ダンプトラック）の車両番号を運搬車両識別子の情報として、前記掘削位置の情報とともに通信衛星５２０を経由して施工管理サーバ３００に送信する。これらの情報（盛土材料の運搬情報）は施工管理サーバ３００のデータベースに蓄積される。
【００１６】
盛土工区２において、荷下ろしした位置と材料の情報は、携帯電話２００を用いてオペレータにより施工管理サーバ３００に送信され、施工管理サーバ３００のデータベースに蓄積される。また、振動ローラ４０によって締め固めを行った位置の情報と転圧回数の情報も、携帯電話２００を用いてオペレータにより施工管理サーバ３００に送信され、施工管理サーバ３００のデータベースに蓄積される。施工管理者は、当日の作業中或いは作業完了後等に、現場事務所ＰＣ４００からインターネット網６００を経由して、施工管理サーバ１３００にアクセスし、切土（盛土材料）を積み込んだ運搬車両の運搬情報をリアルタイムで確認可能である。
【００１７】
図２は、本発明の掘削・盛土情報管理装置の一実施の形態を構成する制御システム１００の全体構成を示す図である。この図において、図１と同符号のものは同一部分である。制御システム１００は、バックホウ１０に備えられる盛土材料名（盛土材料の種別）と盛土材料を積み込み運搬車両（ダンプトラック）の車両番号を入力する手段を備えるタッチパネル式のコンピュータ（以下タッチパネルＰＣという）１１０と、盛土材料を積み込んだ位置の情報を取得するＧＰＳ受信機１２０と、タッチパネルＰＣ１１０から入力された情報とＧＰＳ受信機１２０によって取得した位置情報を集約して管理する情報コントローラ１３０と、タッチパネルＰＣ１１０からのホーン信号（後述する）に基づいて奏鳴し、積み込み位置と積み込み完了を運搬車両の運転手に知らせるスピーカ１４０と、情報コントローラ１３０に集約された情報を通信衛星５２０を介して施工管理サーバ３００に送信する衛星通信端末１５０とを備えている。
【００１８】
また、制御システム１００は、タッチパネルＰＣ１１０からの表示信号を送信する無線機１６０を有し、無線機１６０から送られた表示信号はダンプトラック２０側の無線機２１に受信され、この無線機２１からダンプトラック２０の運転手が所有する小型携帯端末（例えばＰＤＡ）２２に入力され、ダンプトラック２０の表示部２２ａに積み込み情報（後述する）が表示される。
【００１９】
図３は、本発明の掘削・盛土情報管理装置の一実施の形態を構成するタッチパネルＰＣ１１０の機能の詳細を示す機能ブロック図である。  
図３において、図２の符号と同符号のものは同一部分である。タッチパネルＰＣ１１０は、タッチパネルモニタ１１２とＰＣ本体１１４とを備えている。ＰＣ本体１１４は、タッチパネルモニタ１１２から入力された信号を認識するパネルＳＷ入力Ｉ／Ｆ１１４ａと、プログラムの動作指令を行うＣＰＵ１１４ｂと、タッチパネルモニタ１１２への表示出力を行う表示出力Ｉ／Ｆ１１４ｃと、プログラムを格納するＲＯＭ１１４ｄと、情報を格納するハードディスク等の記憶手段１１４ｅと、ＣＰＵ１１４ｂによる計算途中の情報を一時的に格納するＲＡＭ１１４ｆと、ホーン信号をスピーカ１４０に出力する音声出力Ｉ／Ｆ１１４ｇと、情報コントローラ１３０に情報を送信する通信出力Ｉ／Ｆ１１４ｈ、無線機１６０に表示信号を出力する無線出力Ｉ／Ｆ１１４ｉとを備えている。
【００２０】
図４は、本発明の掘削・盛土情報管理装置の一実施の形態を構成するタッチパネルモニタ１１２の画面構成を示す図である。  
タッチパネルモニタ１１２は情報入力画面を有している。この情報入力画面は、作業日を表示する作業日表示エリア１１２ａと、盛土材料を積み込んだ運搬車両の車両番号を入力するための車両番号入力テンキー１１２ｂと、車両番号入力テンキー１１２ｂにより入力された車両番号を表示する車両番号表示エリア１１２ｃと、盛土材料の材質を選択する材質選択プルダウン１１２ｄと、ダンプトラック２０の運転手に積み込み位置と積み込み完了を知らせ、かつ情報コントローラ１３０にその情報を出力するホーンＳＷ１１２ｅとを備えている。
【００２１】
図５及び図６は、本発明の掘削・盛土情報管理装置の一実施の形態を構成するダンプトラック２０の運転手が所有する携帯端末２２に表示される表示の一例を示す図である。ダンプトラック２０が移動してきたときにダンプトラック２０の運転手に積み込み位置を知らせるためにタッチパネルモニタ１１２のホーンＳＷ１１２ｅを１回押すと、スピーカ１４０が奏鳴すると同時に、その信号が無線機１６０、２１を介して、ダンプトラック２０の運転手が所有する携帯端末２２に伝えられるので、携帯端末２２は、図５に示すように「現在積み込み中」の文字を表示する。ダンプトラック２０への積み込み終了時にダンプトラック２０の運転手に積み込み完了を知らせるために、タッチパネルモニタ１１２のホーンＳＷ１１２ｅを２回押すと、スピーカ１４０が奏鳴すると同時に、情報コントローラ１３０にその情報が出力されるとともに、ダンプトラック２０の運転手が所有する携帯端末２２に図６に示すように「積み込み完了」の文字が表示される。
【００２２】
図７は、本発明の掘削・盛土情報管理装置の一実施の形態を構成する情報コントローラ１３０に集約される運搬情報のデータ項目を示す図である。情報コントローラ１３０に集約されるデータ項目としては、ヘッダ１３０ａと、データＩＤ１３０ｂと、バックホウ１０の機種別コード１３０ｃと、バックホウ１０の号機番号１３０ｄと、ダンプトラック２０への積み込み完了時のスイッチ押下発生時刻１３０ｅと、バックホウ１０の位置（積み込み位置）を表す緯度１３０ｆ及び経度１３０ｇと、バックホウ１０の燃料残量１３０ｈと、バックホウ１０の位置計算に用いたＧＰＳ衛星５００を識別する衛星端末番号１３０ｉと、ダンプトラック２０に積み込んだ盛土材料名１３０ｊと、ダンプトラック２０の車両番号１３０ｋの各データ項目がある。これらのデータ項目のうち、ダンプトラック２０に積み込んだ盛土材料名１３０ｊとダンプトラック２０の車両番号１３０ｋの情報は、前述したようにタッチパネルＰＣ１１０から与えられる情報である。
【００２３】
図８は、本発明の掘削・盛土情報管理装置の一実施の形態を構成する情報コントローラ１３０による図７に示すデータ項目を、図１の施工管理サーバ３００に送信する際に作成されるデータフォーマットである。図７のデータ項目がカンマ（、）区切りで記述されている。
【００２４】
図９は、本発明の掘削・盛土情報管理装置の一実施の形態を構成する図１の現場事務所ＰＣ４００から図１の施工管理サーバ３００にアクセスし、運搬状況を検索するための画面を示す図である。この検索画面は、確認したい日付を入力する日付入力欄４００ａと、日付の検索を実行する機能を備えた検索実行ボタン４００ｂとを備えている。
【００２５】
図１０は、本発明の掘削・盛土情報管理装置の一実施の形態を構成する図１の現場事務所ＰＣ４００から図１の施工管理サーバ３００にアクセスして検索したある日付（図示の例では２００５年２月７日）の運搬車両の運搬状況を確認する画面である。この確認画面は、積み込みの順番を表すデータ番号４００ｅと、積み込みが完了した時刻を表す積込み時刻４００ｆと、積み込んだ位置を表す積込位置／緯度４００ｇ及び積込位置／経度４００ｈと、積込んだ盛土材料名を表す積込み材料４００ｉと、盛土材料を積み込んだ運搬車両（ダンプトラック）の車両番号を表す車両番号４００ｊと、積み込んだ盛土材料が盛土工区に荷下ろし済かどうかを表す荷卸し４００ｋを表示する。また、図示の確認画面を帳票として印刷するかどうかを指示する帳票印刷ボタン４００ｍを有している。
【００２６】
以上において、本発明の掘削・盛土情報管理装置の一実施の形態を構成する制御システム１００は、掘削機であるバックホウ１０に設けられ、運搬車両であるダンプトラック２０に対する積み込み作業完了の合図と、施工管理サーバ３００への運搬情報の送信を同時に行うことを可能とする情報処理装置を構成する。
【００２７】
また、タッチパネルＰＣ１１０は、ダンプトラック２０への積み込み作業開始時と完了時に操作される入力処理手段を構成する。また、スピーカ１４０と小型携帯端末２２は、前記入力処理手段１１０が操作されたときに、ダンプトラック２０に対して積み込み完了の合図を行う出力手段を構成する。更に、情報コントローラ１３０は、前記入力処理手段１１０が操作されたときに、運搬情報を作成して施工管理サーバ３００へ送信する制御装置を構成する。
【００２８】
ここで、制御装置（情報コントローラ１３０）は、前記運搬情報として、少なくともダンプトラック２０を特定するための運搬車両識別子（車両番号）と、ダンプトラック２０に積み込んだ盛土材料の種別と、積込み完了時刻及び掘削位置を含む運搬情報を作成して送信する。
【００２９】
また、入力処理手段であるタッチパネルＰＣ１１０のパッチパネルモニタ１１２に表示される情報入力画面の車両番号入力テンキー１１２ｂ及び車両番号表示エリア１１２ｃと材質選択プルダウン１１２ｄは、ダンプトラック２０の識別子と積み込み材料の種別を入力する第１操作部を構成する。同情報入力画面のホーンＳＷ１１２ｅは、ダンプトラック２０への積み込み作業開始と完了時に操作される第２操作部を構成する。また、タッチパネルＰＣ１１０のＰＣ本体１１０は、前記第２操作部（ホーンＳＷ１１２ｅ）が操作されたときに、前記出力手段（スピーカ１４０と小型携帯端末２２）に対して、ダンプトラック２０に対する積み込み作業開始と完了の合図を行わせるとともに、前記制御装置（情報コントローラ１３０）に対して、前記運搬情報として前記第１操作部（車両番号入力テンキー１１２ｂ及び車両番号表示エリア１１２ｃと材質選択プルダウン１１２ｄ）により入力した運搬車両の識別子と積み込み材料の種別を含む運搬情報を作成させ施工管理サーバ３００へ送信させる処理部を構成する。
【００３０】
図１１は、本発明の掘削・盛土情報管理装置の一実施の形態を構成する制御システム１００から施工管理サーバ３００に運搬情報を送信する処理手順の全体概要を示すフローチャート図であり、図１２は、図１１に示した処理手順のうちのデータ送信処理の詳細を示すフローチャート図である。図１３は、現場事務所ＰＣ４００から施工管理サーバ３００にアクセスして検索した運搬情報を表示させ、運搬状況を確認する処理手順を示すフローチャート図である。以下、これらフローチャート図を用いて、本発明の掘削・盛土情報管理装置の一実施の形態による運搬情報の管理手順を説明する。
（全体概要）  
図１１のステップＳ００１において、図１のバックホウ１０のオペレータは、掘削作業が開始する前に、図２及び図３のタッチパネルＰＣ１１０と情報コントローラ１３０を起動し、タッチパネルＰＣ１１０のパッチパネルモニタ１１２に図４の情報入力画面を表示させる。次に、ステップＳ００２において、図４の情報入力画面における材質選択プルダウン１１２ｄから、本日盛土する材料名を選択する。盛土する材料は１日１種類と概ね決まっているが、盛土する材料が変更になった場合は、図４の情報入力画面の材質選択プルダウン１１２ｄから変更となった材料名を入力することで対応可能である。
【００３１】
次に、ステップＳ００３において、図１の運搬車両（ダンプトラック）２０が積み込みのゲートに到着する。工事の規模にもよるが、比較的中規模の工事において、約８台程度の運搬車が１日に複数回運搬を行うサイクルとなっている。次に、ステップＳ００４において、ダンプトラック２０は、バックホウ１０が積み込み易く、安全な位置に低速かつ後進で移動する。ステップＳ００４において、積み込み位置に運搬車両が移動してきたことを確認したら、ステップＳ００５において、バックホウ１０のオペレータはタッチパネルＰＣ１１０のホーンＳＷ１１２ｅを１回押し、スピーカ１４０を奏鳴することで停止の合図を行う。
【００３２】
ここで、ＣＰＵ１１４ｂにおいて、ホーンＳＷ１１２ｅが１回押されたことにより、バックホウ１０が停止の合図を行っていると判断し、ステップＳ００６において、ダンプトラック２０に表示信号を出力し、ダンプトラック２０の運転手が所有する携帯端末２２に「現在積み込み中」を表示させる。このとき、携帯端末２２への表示に代え、携帯端末（或いは携帯電話）の振動でダンプトラック２０の運転手に積み込み開始を知らせてもよい。
【００３３】
次に、ステップＳ００７において、バックホウ１０のオペレータは、タッチパネルＰＣ１１０により、盛土材料運搬のために到着した運搬車両の車両番号を入力する。次に、ステップＳ００８において、バックホウ１０は、積み込みのための切土（掘削）を行い、ダンプトラック２０に盛土材料を積み込む。次に、ステップＳ００９において、積み込みが完了したら、ステップＳ０１０においてデータ送信処理（詳細は後述）を行う。
【００３４】
次に、ステップＳ０１１において、積み込みが完了したダンプトラックが退場し、ステップＳ０１２において、掘削作業が終了する。次にステップＳ０１３で、次の運搬を行う運搬車両が入場する。１日の作業が完了するまでステップＳ００１〜Ｓ０１３を繰り返す。
（データ送信処理）  
図１１のデータ送信処理の詳細を図１２のフローチャート図を用いて説明する。  
図１２のステップＳ０１０１において、バックホウ１０のオペレータは、タッチパネルＰＣ１１０のホーンＳＷ１１２ｅを２回押し、スピーカ１４０を奏鳴することでダンプトラック２０の運転手に積み込みが完了した合図を行う。ここで、ＣＰＵ１１４ｂにおいて、ホーンＳＷ１１２ｅが２回押されたことにより、バックホウ１０が積み込み完了の合図を行っていると判断し、ステップＳ０１０２において、バックホウ１０の情報コントローラ１３０に、図１１のステップＳ００２，Ｓ００７で入力した盛土材料名と運搬車両（ダンプトラック）の車両番号を送る。
【００３５】
情報コントローラ１３０は、この情報を入力し、ホーンＳＷ１１２ｅを押したときの図７に示したデータ項目の各情報を集約し、運搬情報を作成する。そして、ステップＳ０１０３において、ダンプトラック２０に表示信号を出力し、ダンプトラック２０の運転手が所有する携帯端末２２に「積み込み完了」の文字を表示させる。このとき、携帯端末２２への表示に代え、携帯端末２２（或いは携帯電話）の振動でダンプトラック２０の運転手に積み込み完了を知らせてもよい。
【００３６】
次に、ステップＳ０１０４において、衛星通信経由して情報コントローラ１３０で集約され、生成された運搬情報を、図１の施工管理サーバ３００に送信する。次に、ステップＳ０１０５において、図１の施工管理サーバ３００で運搬情報を受信し、ステップＳ０１０６で受信した運搬情報をデータベースに格納する。
（運搬状況確認処理）  
現場事務所ＰＣ４００による運搬状況の確認処理の概要を図１３を用いて説明する。  
図１３のステップＳ０２１において、元請け作業員は、図１の現場事務所ＰＣ４００から、インターネット網６００を介し、図１の施工管理サーバ３００にアクセスする。次にステップＳ０２２において、図９の運搬状況検索画面により、運搬情報を閲覧したい日付を入力し、検索を実行する。次に、ステップＳ０２３で、検索完了後、図１０のような、指定した日付の運搬情報を画面に表示する。また、必要に応じて、元請け作業員は帳票印刷ボタン４００ｍをクリックすることにより、運搬情報を紙の帳票として印刷し、保管することも可能である。
【００３７】
以上のように構成した本発明の掘削・盛土情報管理装置の一実施の形態においては、掘削工区１で稼動するバックホウ１０は、ほとんど入れ替わることはほ無いため、掘削工区１に入場する全てのダンプトラック２０に情報処理装置を設置する場合に比べて情報処理装置（制御システム１００）の設置台数を大幅に低減することができ、ダンプトラック２０の運搬情報を施工管理サーバ３００に取得させるための機器設備及びその操作を簡便にすることが可能となる。
【００３８】
また、バックホウ１０の入れ替わりが少ないだけでなくバックホウ１０のオペレータの乗り代わりも少ないため、情報処理装置である制御システム１００の使い方の教育を必要とする作業者の人数も大幅に少なくて済み、人材教育管理が極めて容易となる。
【００３９】
更に、ダンプトラック２０からではなくバックホウ１０から施工管理サーバ３００へ運搬情報を送信するとともに、バックホウ１０側では、ダンプトラック２０に対する積み込み作業完了の合図と、施工管理サーバ３００への運搬情報の送信を同時に行うことができるので、バックホウ１０のオペレータ及びダンプトラック２０の運転手の作業負担が軽減し、作業効率の向上が可能となる。
【００４０】
また、その情報を施工管理サーバ３００に送信し、一元管理することにより、作業の進捗管理がリアルタイムに行え、また帳票類の作成業務の手間を省き、作業効率の向上につながる。
【００４１】
なお、上述の実施の形態においては、バックホウ１０のオペレータが、ダンプトラック２０の運転者に対して、ホーンＳＷ１１２ｅを１回押すことで、積み込み作業の停止の合図を、また、ホーンＳＷ１１２ｅを２回押すことで、積み込み作業終了の合図とし、ホーンＳＷ１１２ｅを２回押した場合に、情報コントローラ１３０が情報の集約と送信を行うように、ホーンＳＷ１１２ｅの押下げ操作回数によって、作業の違いを判定させるようにしたが、例えば、ホーンＳＷ１１２ｅを、数秒間にわたり長く押下げた状態を、積み込み作業の停止の合図とし、これよりも、ホーンＳＷ１１２ｅを、短く押下げた状態を、積み込み作業終了の合図とするように構成することも可能である。
【００４２】
また、上記の実施の形態においては、タッチパネルモニタ１１２の画面に、ホーンＳＷ１１２ｅを設けたが、図１４に示すように、タッチパネルモニタ１１２の画面外に設けることも可能である。この場合、例えば、ホーンＳＷ１１２ｅを、現行のバックホウ１０に装備されているホーンＳＷに兼用させることも可能である。更に、これらの併用も可能である。
【図面の簡単な説明】
【００４３】
【図１】本発明の掘削・盛土情報管理装置の一実施の形態による掘削・盛土作業を行う土工事の全体概要示す図である。
【図２】本発明の掘削・盛土情報管理装置の一実施の形態を構成するバックホウに備えられる制御システムの全体構成を示す図である。
【図３】本発明の掘削・盛土情報管理装置の一実施の形態を構成するタッチパネルＰＣの機能の詳細を示す機能ブロック図である。
【図４】本発明の掘削・盛土情報管理装置の一実施の形態を構成するタッチパネルモニタの情報入力画面を示す図である。
【図５】本発明の掘削・盛土情報管理装置の一実施の形態を構成するダンプトラックへの積み込み開始時にダンプトラックの運転手が所有する携帯端末に表示される表示の一例を示す図である。
【図６】本発明の掘削・盛土情報管理装置の一実施の形態を構成するダンプトラックへの積み込み終了時にダンプトラックの運転手が所有する携帯端末に表示される表示の一例を示す図である。
【図７】本発明の掘削・盛土情報管理装置の一実施の形態を構成する情報コントローラに集約される運搬情報のデータ項目を示す図である。
【図８】本発明の掘削・盛土情報管理装置の一実施の形態を構成する情報コントローラから施工管理サーバヘの送信フォーマットを示す図である。
【図９】本発明の掘削・盛土情報管理装置の一実施の形態を構成する運搬車両の運搬状況の検索を行う画面表示を示す図である。
【図１０】本発明の掘削・盛土情報管理装置の一実施の形態を構成する現場事務所ＰＣでの運搬状況を検索するための画面を示す図である。
【図１１】本発明の掘削・盛土情報管理装置の一実施の形態を構成する制御システムから施工管理サーバに運搬情報を送信する処理手順の全体概要を示すフローチャート図である。
【図１２】図１１に示した処理手順のうちのデータ送信処理の詳細を示すフローチャート図である。
【図１３】本発明の掘削・盛土情報管理装置の一実施の形態を構成する現場事務所ＰＣから施工管理サーバにアクセスして検索した運搬情報を表示させ、運搬状況を確認する処理手順を示すフローチャート図である。
【図１４】本発明の掘削・盛土情報管理装置の一実施の形態を構成するタッチパネルＰＣの機能の詳細を示す他の機能ブロック図である。
【符号の説明】
【００４４】
１  掘削工区
２  盛土工区
１０  バックホウ（掘削機）
２０  ダンプトラック（運搬車両）
２１  無線機
２２  携帯端末
２２ａ  表示部
３０  ブルドーザ
４０  振動ローラ
５０  バックホウ
１００  制御システム
１１０  タッチパネルＰＣ
１１２  タッチパネルモニタ
１１２ａ  作業日表示エリア
１１２ｂ  車両番号入力テンキー
１１２ｃ  車両番号表示エリア
１１２ｄ  材質選択プルダウン
１１２ｅ  ホーンＳＷ（入力手段）
１１４  ＰＣ本体
１１４ａ  タッチパネルモニタ
１１４ｂ  ＣＰＵ
１１４ｃ  表示出力Ｉ／Ｆ
１１４ｄ  ＲＯＭ
１１４ｅ  記憶手段
１１４ｆ  ＲＡＭ
１１４ｇ  音声出力Ｉ／Ｆ
１１４ｈ  通信出力Ｉ／Ｆ
１１４ｉ  無線出力Ｉ／Ｆ
１２０  ＧＰＳ受信機
１３０  情報コントローラ
１４０  スピーカ
１５０  衛星通信端末
１６０  無線機
２００  携帯電話
３００  施工管理サーバ
４００  現場事務所ＰＣ
４００ａ  日付入力欄
４００ｂ  検索実行ボタン
４００ｅ  データ番号
４００ｆ  積込み時刻
４００ｇ  積込位置／緯度
４００ｈ  積込位置／経度
４００ｉ  積込み材料（盛土材料）
４００ｊ  車両番号（運搬車両識別子）
４００ｋ  荷卸し
４００ｍ  帳票印刷ボタン
５００  ＧＰＳ衛星
５２０  通信衛星
【図１】
2008038354.tif 000003
【図２】
2008038354.tif 000004
【図３】
2008038354.tif 000005
【図４】
2008038354.tif 000006
【図５】
2008038354.tif 000007
【図６】
2008038354.tif 000008
【図７】
2008038354.tif 000009
【図８】
2008038354.tif 000010
【図９】
2008038354.tif 000011
【図１０】
2008038354.tif 000012
【図１１】
2008038354.tif 000013
【図１２】
2008038354.tif 000014
【図１３】
2008038354.tif 000015
【図１４】
2008038354.tif 000016